【手続補正書】
【提出日】平成24年9月4日(2012.9.4)
【手続補正１】
【補正対象書類名】特許請求の範囲
【補正対象項目名】全文
【補正方法】変更
【補正の内容】
【特許請求の範囲】
【請求項１】
第一の速度で受取り領域を通って走行している部品（３０）を受け取り、第二の速度で適用領域（２３）を通って走行しているキャリア（８０）に該部品を適用するための装置（２０）において、該装置が：
少なくとも２つの独立したプログラム可能なモータ（６４Ａ，６４Ｂ）と、該受取り領域で該部品を受け取り、該適用領域で該部品を適用するための、２つの転送装置（５０Ａ，５０Ｂ）であって、該転送装置の少なくとも１つはその転送装置が周回走行路で動くために該プログラム可能なモータのそれぞれに連結されており、該プログラム可能なモータは、該転送装置が該部品を取り上げる時に該受取り領域内で第一の表面速度を有するように維持し、及び該転送装置が該部品を該キャリアに適用する時に該適用領域内で第二の表面速度を有するように維持し、
該装置が２つの駆動機構（６１Ａ，６１Ｂ）を有する駆動システム（６０）を有し、各駆動機構は被動歯車（７２Ａ，７２Ｂ）を介して被動機構（７１Ａ，７１Ｂ）のそれぞれ１つに回転エネルギーを伝導する１つのモータ（６４Ａ，６４Ｂ）と駆動歯車（６２Ａ，６２Ｂ）を有し、
前記少なくとも２つの転送装置はそれぞれ外側表面を有するシェルセグメントを有し、
前記少なくとも２つの転送装置のシェルセグメントは前記少なくとも２つの独立したプログラム可能なモータの間に位置している、装置（２０）。
【請求項２】
各転送装置（５０Ａ，５０Ｂ）は被動歯車（７２Ａ，７２Ｂ）に接続されたシェルセグメント（５１Ａ，５１Ｂ）を有している、請求項１に記載の装置（２０）。
【請求項３】
該シェルセグメント（５１Ａ，５１Ｂ）は周辺外周表面を有し、該シェルセグメント（５１Ａ，５１Ｂ）の周辺外周表面は走行し、該転送装置の該シェルセグメントが走行する周回走行路の各領域によって画定される該受取り領域（２１）と適用領域（２３）を通る周回走行路を画定する、請求項２に記載の装置（２０）。
【請求項４】
該２つの転送装置（５０Ａ，５０Ｂ）は転送装置の周回走行路の５°〜１７５°に及ぶ外周弧長を有するシェルセグメント（５１Ａ，５１Ｂ）をそれぞれ有している、請求項３に記載の装置（２０）。
【請求項５】
該転送装置の第一と第二の表面速度は実質的に一定である、請求項１に記載の装置（２０）。
【請求項６】
該転送装置の第一と第二の表面速度は可変である、請求項１に記載の装置（２０）。
【請求項７】
該転送装置の第一の表面速度、または該転送装置の第二の表面速度が可変である、請求項１に記載の装置（２０）。
【請求項８】
該転送装置の第一の表面速度は受取り領域における該部品の第一の速度に実質的に等しく、該転送装置の第二の表面速度は適用領域における該キャリアの第二の速度に実質的に等しい、請求項１に記載の装置（２０）。
【請求項９】
第一の速度で受取り領域を通って走行している部品（３０）を受け取り、第二の速度で適用領域（２３）を通って走行しているキャリア（８０）に該部品を適用するための装置（２０）において、該装置が：
少なくとも２つの独立したプログラム可能なモータ（６４Ａ，６４Ｂ）と、
該受取り領域（２１）で該部品を受け取り、該適用領域で該部品を適用するための、少なくとも２つの転送装置（５０Ａ，５０Ｂ）であって、該転送装置の少なくとも１つはその転送装置が周回走行路で動くために該プログラム可能なモータのそれぞれに連結されいることを特徴とする、転送装置（５０Ａ，５０Ｂ）と、を有し、
該プログラム可能なモータは、該転送装置が該部品（３０）を取り上げる時に該受取り領域内で第一の表面速度を有するように維持し、及び該転送装置が該部品を該キャリアに適用する時に該適用領域内で第二の表面速度を有するように維持し、
該プログラム可能なモータ（６４Ａ，６４Ｂ）は、該共通の軸線と同軸の静止中心軸（５１０）上に配置されており、
前記少なくとも２つの転送装置はそれぞれ外側表面を有するシェルセグメントを有し、
前記少なくとも２つの転送装置のシェルセグメントは前記少なくとも２つの独立したプログラム可能なモータの間に位置している、装置（２０）。
【請求項１０】
該プログラム可能なモータ（６４Ａ，６４Ｂ）の少なくとも１つが、回転可能な中空軸を有するモータである、請求項９記載の装置（２０）。
【請求項１１】
該転送装置（５０Ａ，５０Ｂ）の第一と第二の表面速度は実質的に一定である、請求項９または１０に記載の装置（２０）。
【請求項１２】
該転送装置（５０Ａ，５０Ｂ）の第一と第二の表面速度は可変である、請求項９または１０に記載の装置（２０）。
【請求項１３】
該転送装置（５０Ａ，５０Ｂ）の第一の表面速度、または該転送装置の第二の表面速度が可変である、請求項９または１０に記載の装置（２０）。
【請求項１４】
該転送装置（５０Ａ，５０Ｂ）の第一の表面速度が該受取り領域（２１）における該部品の第一の速度に実質的に等しく、該転送装置の第二の表面速度が該適用領域（２３）における該キャリア（８０）の第二の速度に実質的に等しい、請求項９−１３のいずれかに記載の装置（２０）。
【請求項１５】
該転送装置（５０Ａ，５０Ｂ）の少なくとも１つは外側表面を有する少なくとも一つのシェルセグメント（５１）を有し、該シェルセグメントは該少なくとも１つの転送装置（５０Ａ，５０Ｂ）の動きの間に該受取り領域（２１）と該適用領域（２３）を通る周回走行路に沿って動くことができ、該シェルセグメントは該受取り領域で少なくとも一つの部品（３０）を収集し、該適用領域で該少なくとも一つの部品を該キャリアへ適用する前は、真空、静電気、または摩擦係数を利用して該少なくとも１つの部品を該外側表面に保持する、請求項９−１４のいずれかに記載の装置（２０）。
【請求項１６】
該シェルセグメント（５１）は該部品を該外側表面に保持するために真空、静電気、または表面摩擦係数を利用する、請求項１５に記載の装置（２０）。
【請求項１７】
該シェルセグメント（５１）の外側表面は弓形表面又は平らな表面である、請求項１５に記載の装置（２０）。
【請求項１８】
該キャリア（８０）が、ウエブ基材、ベルト、又はドラムを含む、請求項９−１７のいずれか一項に記載の装置（２０）。
【請求項１９】
該周回走行路が、円形、又は１つ以上の曲線区分若しくは直線区分を包含する任意の軌道を形成する、請求項９−１８のいずれか一項に記載の装置（２０）。
【請求項２０】
少なくとも一つの該転送装置（５０Ａ，５０Ｂ）が、一つより多いプログラム可能なモータ（６４Ａ，６４Ｂ）に連結されている、請求項９−１９のいずれか一項に記載の装置（２０）。
【請求項２１】
該受取り領域（２１）と該適用領域（２３）との間で該部品に第二の加工を行うためのアプリケータをさらに含む、請求項９−２０のいずれか一項に記載の装置（２０）。
【請求項２２】
連続する材料のウエブを受取り領域（２１）で部品に切断する切断装置（４０）をさらに有する、請求項９−２１のいずれか一項に記載の装置（２０）。
【請求項２３】
ドラム（４３）と第一の装置（２０Ａ）と第二の装置（２０Ｂ）の組合せであって、該装置は第一の速度で受取り領域を通って走行している部品（３０）を受け取り、第二の速度で適用領域（２３）を通って走行しているキャリア（８０）に該部品を適用するための装置であり、該第一の装置は独立の駆動歯車（６２Ａ）と被動歯車（７２Ａ）によって第一のプログラム可能なモータ（６４Ａ）に結合された第一の単独の回転可能な転送装置（５０Ａ）を有し、該第二の装置は第二の独立の駆動歯車（６２Ｂ）と被動歯車（７２Ｂ）によって第二のプログラム可能なモータ（６４Ｂ）に結合された第二の単独の回転可能な転送装置（５０Ｂ）を有し、該転送装置は受取り領域で該部品を受け取り、該適用領域で該部品を適用するためにあり、該独立の駆動歯車と被動歯車は該転送装置が部品を受け取るときに該受取り領域で第一の速度になるように維持し、該転送装置が該キャリアに部品を適用するときに該適用領域で第二の速度になるように維持するためにあり、該第一のプログラム可能なモータはエネルギーをその間で伝導するための伝導機構を介して該第一の装置に結合され、該第二のプログラム可能なモータはエネルギーをその間で伝導するための伝導機構を介して該第二の装置に結合され、該第一の装置（２０Ａ）と該第二の装置（２０Ｂ）は双方で異なる受取り領域で該ドラムから部品（３０）を受け取り、
前記２つの転送装置はそれぞれ外側表面を有するシェルセグメントを有し、
前記少なくとも２つの転送装置のシェルセグメントは前記２つのプログラム可能なモータの間に位置している、
ドラム（４３）と第一の装置（２０Ａ）と第二の装置（２０Ｂ）の組合せ。
【請求項２４】
第一の速度で走行している弾性材料からなる個別の部品（３０）を受け取り、第二の速度で走行しているキャリア（８０）に該部品（３０）を適用するための装置において、該装置が：
少なくとも一つの回転可能な転送装置（５０）であって、各転送装置が該部品（３０）を受け取る受取り領域（２１）と該部品（３０）が該キャリア（８０）に適用される適用領域（２３）を通る周回走行路に沿って動くように構成された少なくとも一つのシェルセグメント（５１）を有する、転送装置（５０）と、
各転送装置（５０）の駆動機構（６１）であって、各駆動機構は対応する転送装置（５０）に回転エネルギーを伝導するプログラム可能なモータ（６４）を有している、駆動機構（６１）と、を有し、
各駆動機構（６１）は、各転送装置（５０）が第一の速度と異なる表面速度で該受取り領域（２１）を通り、または、第二の速度と異なる表面速度で該適用領域（２３）を通るように各転送装置（５０）を駆動するように構成され、
少なくとも１つの前記転送装置のシェルセグメントは２つの前記プログラム可能なモータの間に位置している、装置。
【請求項２５】
各駆動機構（６１）は、各転送装置（５０）が該第一の速度より速い表面速度で該受取り領域（２１）を通り、それによって該部品（３０）が該装置によって受け取られるときに伸ばされるように各転送装置（５０）を駆動するように構成されている、請求項２４に記載の装置。
【請求項２６】
各駆動機構（６１）は、各転送装置（５０）が該第一の速度より遅い表面速度で該受取り領域（２１）を通り、それによって該部品（３０）が該装置によって受け取られるときに弛緩されるように各転送装置（５０）を駆動するように構成されている、請求項２４に記載の装置。
【請求項２７】
各駆動機構（６１）は、各転送装置（５０）が変化する表面速度で該受取り領域（２１）を通り、それによって各部品（３０）の長さに沿って引張力を増分的に変化させるように各転送装置（５０）を駆動するように構成されている、請求項２５または２６に記載の装置。
【請求項２８】
各駆動機構（６１）は、各転送装置（５０）が一定の表面速度で該受取り領域（２１）を通り、それによって各部品（３０）の長さに沿って一定の引張力を提供するように各転送装置（５０）を駆動するように構成されている、請求項２５または２６に記載の装置。
【請求項２９】
各駆動機構（６１）は、各転送装置（５０）が該第二の速度と異なる表面速度で該適用領域（２３）を通るように各転送装置（５０）を駆動するように構成されている、請求項２４に記載の装置。
【請求項３０】
各駆動機構（６１）と対応する転送装置（５０）の間に配置されたトランスミッション（６２，７２）をさらに有している、請求項２４−２９のいずれかに記載の装置。
【請求項３１】
各シェルセグメント（５１）は該周回走行路に沿って動く周辺外周表面を有する、請求項２４−３０のいずれかに記載の装置。
【請求項３２】
第一の速度で走行している弾性材料からなる個別の部品（３０）を受け取り、第二の速度で走行しているキャリア（８０）に該部品（３０）を適用するための装置を使用する方法において、該装置は、
少なくとも一つの回転可能な転送装置（５０）であって、各転送装置が該部品（３０）を受け取る受取り領域（２１）と該部品（３０）が該キャリア（８０）に適用される適用領域（２３）を通る周回走行路に沿って動くように構成された少なくとも一つのシェルセグメント（５１）を有する、転送装置（５０）と、
各転送装置（５０）の駆動機構（６１）であって、各駆動機構は対応する転送装置（５０）に回転エネルギーを伝導するプログラム可能なモータ（６４）を有している、駆動機構（６１）と、を有し、
該方法は、各転送装置（５０）が該第一の速度と異なる表面速度で該受取り領域（２１）を通り、または、該第二の速度と異なる表面速度で該適用領域（２３）を通るように、各駆動機構（６１）が対応する転送装置（５０）を駆動する操作を含み、
少なくとも１つの前記転送装置のシェルセグメントは２つの前記プログラム可能なモータの間に位置している、方法。
【請求項３３】
各駆動機構（６１）は、各転送装置（５０）が該第一の速度より速い表面速度で該受取り領域（２１）を通り、それによって該部品（３０）が該装置によって受け取られるときに伸ばされるように各転送装置（５０）を駆動するように操作される、請求項３２に記載の方法。
【請求項３４】
各駆動機構（６１）は、各転送装置（５０）が該第一の速度より遅い表面速度で該受取り領域（２１）を通り、それによって該部品（３０）が該装置によって受け取られるときに弛緩されるように各転送装置（５０）を駆動するように操作される、請求項３２に記載の方法。
【請求項３５】
各駆動機構（６１）は、各転送装置（５０）が変化する表面速度で該受取り領域（２１）を通り、それによって各部品（３０）の長さに沿って引張力を増分的に変化させるように各転送装置（５０）を駆動するように、操作される、請求項３３または３４に記載の方法。
【請求項３６】
各駆動機構（６１）は、各転送装置（５０）が一定の表面速度で該受取り領域（２１）を通り、それによって各部品（３０）の長さに沿って一定の引張力を提供するように各転送装置（５０）を駆動するように、操作される、請求項３３または３４に記載の方法。
【請求項３７】
各駆動機構（６１）は、各転送装置（５０）が該第二の速度と異なる表面速度で該適用領域（２３）を通るように各転送装置（５０）を駆動するように、操作される、請求項３２に記載の方法。
【請求項３８】
各シェルセグメント（５１）は該周回走行路に沿って動く周辺外周表面を有している、請求項２４−３７のいずれかに記載の方法。